【事件の表示】
　特許第５９６９０９６号発明「ショウガ加工物の製造方法」の特許異議申立事件について，次のとおり決定する。
【結　論】
　特許第５９６９０９６号の請求項１〜４に係る特許を維持する。
【理　由】
第１　手続の経緯
　特許第５９６９０９６号（以下，「本件特許」という。）の請求項１〜４に係る特許についての出願は，平成２７年８月１２日に出願され，平成２８年７月１５日にその特許権の設定登録がされ，その後，特許異議申立人三▲崎▼岳郎より特許異議の申立てがされたものである。
第２　本件発明
　本件特許の請求項１〜４に係る発明（以下，それぞれ「本件発明１〜４」という。）は，その特許請求の範囲の請求項１〜４に記載された事項により特定される，以下のとおりのものである。
【請求項１】
　原料であるショウガを冷凍処理する冷凍工程と、
　冷凍工程後のショウガを、水蒸気共存下、温度１００℃以上１５０℃以下の条件で５時間以上加熱処理する蒸気加熱工程と、
を有することを特徴とするショウガ加工物の製造方法。
【請求項２】
　前記冷凍工程における温度が、−１０℃以下である請求項１に記載のショウガ加工物の製造方法。
【請求項３】
　前記蒸気加熱工程における温度が１１０℃以上１３０℃以下であり、圧力が０．１２ＭＰａ以上０．３０ＭＰａ以下である請求項１または２に記載のショウガ加工物の製造方法。
【請求項４】
　前記蒸気加熱工程後のショウガを乾燥する乾燥工程を有する請求項１から３のいずれかに記載のショウガ加工物の製造方法。
第３　申立理由の概要
１　特許異議申立人は，証拠方法として以下の甲第１〜１０号証（以下，証拠の番号に従って「甲１」などという。）を提出し，請求項１〜４に係る特許は甲１，甲２又は甲３に記載された発明に基いて当業者が容易に発明をすることができたものであり，特許法第２９条第２項の規定に違反してなされたものであるから，同法第１１３条第２号に該当し，請求項１〜４に係る特許を取り消すべきものである旨主張している。
（以下，「理由１」という。）
甲１：山崎友里ら，ショウガ中ショウガオール含有量を高めるための加工
　　方法，日本栄養・食糧学会第52回近畿支部大会講演要旨集，
　　２０１３年１０月２６日，p.26
甲２：ぽてこ，おやさい村のおいも畑通信「ウルトラ蒸しショウガを作っ
　　てみました♪o(%)O☆」，２０１３年１月２４日，インターネット
　　http://oyasaimura.blog84.fc2.com/blog-entry-89.html
甲３：鹿野美弘ら，漢方エキス製剤の品質評価について（第1報）
　　「生姜」中の6-gingerol，生薬学雑誌，40巻，3号，１９８６年，
　　p.333-339
甲４：生化学辞典（第３版），東京化学同人，第５刷，
　　２００２年７月１日，p.482
甲５：牧野健司，妊婦に併発したアレルギー疾患に対する食用可能な生薬
　　を用いた漢方治療の試み，日本東洋医学雑誌，Vol.59，No.4，
　　２００８年，p.617-622
甲６：大切な食べものを無駄にしない読本，ベターホーム協会，
　　２００６年６月１日，p.23
甲７：平野美那世，加熱器を生かす鍋の種類と役割，ニューフードインダ
　　ストリー，Vol.41，No.8，p.73-84
甲８：ミチル，だだもれアンチエイジング「ショウガオールでダイエット
　　！ウルトラ蒸し生姜で冷え知らず！作り方・あさイチ1/15」，
　　２０１３年１月１６日，インターネット
　　http://marutto50.blog.fc2.com/blog-entry-482.html
甲９：特開２００７−３２５５１５号公報
甲１０：特開２０１１−２２９５０６号公報
２　特許異議申立人は，本件特許は，発明の詳細な説明の記載が同法第３６条第４項第１号に適合しない特許出願に対してなされたものであるから，同法第１１３条第４号に該当し，取り消すべきものである旨主張している。
（以下，「理由２」という。）
３　特許異議申立人は，本件特許は，特許請求の範囲の記載が同法第３６条第６項第１号又は第２号に適合しない特許出願に対してなされたものであるから，同法第１１３条第４号に該当し，取り消すべきものである旨主張している。
（以下，「理由３」という。）
第４　証拠について
１　甲１
（１）　甲１の記載事項
　甲１には，以下の記載がある（下線部は当審にて付与。以下同様。）。
ア　「本研究では，体を温める効果を実証するための，
より6-shogaol含量の高い試料を作成する
ショウガの加工方法
イ　「【方法】
凍結乾燥後のショウガ粉末
様々な条件
で加熱を行った
ウ　「【結果と考察】非加熱の乾燥ショウガ粉末を比較対象とすると，一定の時間以内の加熱であれば，
オートクレーブによる高温加熱の条件で
（２）　甲１発明
　よって，甲１には，次の発明（以下，「甲１発明」という。）が記載されている。
「凍結乾燥後のショウガ粉末を，オートクレーブによる高温加熱の条件で加熱を行った，より6-shogaol含量の高い試料を作成するショウガの加工方法。」
２　甲２
（１）　甲２の掲載事項
　甲２には，以下の掲載がある。
ア　「ソロモン流の二日後、ＮＨＫのあさイチで
ウルトラ蒸しショウガ
ためしてガッテン！で見たことがある『ウルトラショウガ』よりも
３〜４倍暖かさを感じるとか？！
作り方も意外と簡単だったので、早速作ってみました
イ　「3.5キロの
生姜を繊維に直角にスライスして
圧力鍋にお湯を張って
スライスした生姜をほぐしながらパラパラと置いていき
蓋を閉めて蒸します！
レモンのような香りから、お芋のような香りになったら加熱を止めて
ざるに上げ、えびら（干し網）に重ならないよう広げて干します♪」（本文８〜１３行）
（２）　甲２発明
　よって，甲２には，次の発明（以下，「甲２発明」という。）が掲載されている。
「生姜を繊維に直角にスライスして，お湯を張った圧力鍋にスライスした生姜を置いて蓋を閉めて蒸す，ウルトラ蒸しショウガの作り方。」
３　甲３
（１）　甲３の記載事項
　甲３には，以下の記載がある。
ア　「昭和60年5月，厚生省から
漢方エキス製剤の工程管理を主要目的とする通達
イ　「今回，著者らは当厚生省通達に関連して組織された
厚生科学研究『漢方エキス製剤』班の一員として，生薬の指標成分検索を行った
6-gingerol（6-G）が指標物質として満足する結果を得た
ウ　「なお本文中にて
単に生姜と記されたものは生ショウガの乾燥品，干（乾）生姜
エ　「8.　乾姜調整時の
“蒸乾”処理
　
実験材料は市場品生ショウガを用いた．塊茎の外皮を取り除き，粗切とし混ぜ合わせたものを一定量ガーゼに包み
6，8，10および12時間の蒸す処理を行った
6-shogaol（6-S）
生ショウガより調製した鮮姜（凍結乾処理）
市場品姜類生薬の6-Gと6-S含有量をTABLEIIに示す
オ 　「
」（３３７頁上）
カ　「
」（３３７頁中）
キ　「実験VIII:“蒸乾”処理による6-Gへの影響（Fig.8）については，鮮姜（FD）と自家製生姜（0hr）の測定値から，通常の乾燥処理においては，6-Gはほとんど影響を受けないものと考えられる．蒸気で“蒸す”処理（2〜12hr）においては，
処理時間に比例して6-G含量は徐々に低下し逆に6-S含量は徐々に増加する
ク　「以上の結果から，『生姜』の辛味成分ならびに有効成分である
6-gingerolが漢方製剤の製造工程管理ならびに品質評価のための指標物質の条件を満足するものと考えられた
6-shogaolは乾姜を用いた処方の品質評価の重要な成分と推察する
（２）　甲３発明
　よって，甲３には，次の発明（以下，「甲３発明」という。）が記載されている。
「市場品生ショウガの塊茎の外皮を取り除き，粗切とし混ぜ合わせたものを一定量ガーゼに包み，6，8，10および12時間の蒸す処理を行う実験方法。」
４　甲４
　甲４には，以下の記載がある。
「高圧滅菌器［autoclave］　
オートクレーブ
水を入れた密閉容器で，100℃以上に熱して水蒸気加圧
通常，常圧＋1kg/cm
2
(120℃)で30分前後
５　甲５
　甲５には，以下の記載がある。
「
乾姜は，生の生姜を湯通しあるいは蒸した後，乾燥させたもの
加熱による脱水反応でジンゲロールから２次的に生じたショウガオールの含有量が多く
ショウガオールの量は，加熱時間に比例して増加する
６　甲６
　甲６には，以下の記載がある。
「
冷凍
→
凍ったまま調理
しょうが
７　甲７
　甲７には，以下の記載がある。
ア　「
圧力鍋
家庭用は内部圧力が0.6〜1.3気圧
沸点が普通の鍋より15〜25℃も高くなる
イ　「
」（７９頁左下）
８　甲８
　甲８には，以下の掲載がある。
「
乾姜は
生薬として珍重されていて、これがウルトラ蒸しショウガの正体
９　甲９
　甲９には，以下の記載がある。
「【００４６】
　
冷凍処理は、パン生地を−１０〜−４０℃の温度条件下に保持することにより行う
１０　甲１０
　甲１０には，以下の記載がある。
ア　「【請求項１】
　
豆腐加工食品を製造する方法
（ａ）凍り豆腐１．０ｇ当たり、水２．０ｇ〜７．０ｇを、２０℃〜８０℃の温度で混合する工程、
（ｂ）得られた混合物を容器に封入し、９０℃〜１２０℃、１分〜１００分の加熱処理を施す工程、及び、
（ｃ）加熱処理された混合物に対して、−３℃〜−４０℃、０．５時間以上の低温処理を施す工程を含んでなる方法。」
イ　「【請求項５】
　工程（ｃ）の低温処理が、冷凍処理と熟成処理とを含んでなり、
冷凍処理を、−１０℃〜−４０℃で
実施
熟成処理を、−３℃〜−３０℃で、０日以上実施する、請求項１〜４のいずれか一項に記載の方法。」
第５　申立理由についての判断
１　理由１（進歩性）について
（１）　本件発明１について
ア　甲１発明に基づく進歩性
（ア）　対比
　本件発明１と甲１発明とを対比すると，甲１発明の「凍結乾燥後のショウガ粉末」は本件発明１の「冷凍工程後のショウガ」と，処理後のショウガという点において共通している。そして，甲１発明においてショウガ粉末が凍結乾燥後のものであることから，原料であるショウガを凍結乾燥処理する工程が存在することは明らかである。
　また，甲１発明の「オートクレーブによる高温加熱の条件で加熱」することは，本件発明１の「加熱処理する」「加熱工程」に相当する。同様に，甲１発明の「試料を作成するショウガの加工方法」は，本件発明１の「ショウガ加工物の製造方法」に相当する。
　よって，本件発明１と甲１発明とは，次の点において一致し，以下の点において相違する。
（一致点）
「処理後のショウガを，加熱処理する加熱工程と，
を有するショウガ加工物の製造方法。」
（相違点１−１）
　処理について，本件発明１は「原料であるショウガを冷凍処理する冷凍工程」であるのに対し，甲１発明は「凍結乾燥」処理する工程である点
（相違点１−２）
　処理後のショウガを加熱処理する加熱工程について，本件発明１は「水蒸気共存下、温度１００℃以上１５０℃以下の条件で５時間以上」であるのに対し，甲１発明は「オートクレーブによる高温加熱」である点
（イ）　判断
　上記相違点について検討する。まず，相違点１−１について，「凍結乾燥」とは，食品を急速凍結し，これを真空中に入れて氷を昇華させ乾燥を行なうことで，物理的・化学的な変化を抑えて多孔質構造とし，復元性のよい乾燥食品を得ることをいう（「新・櫻井　総合食品事典」の６８０頁等参照）から，「冷凍」の，単に「食品中の水を氷の結晶に変える」という通常の意味（「新・櫻井　総合食品事典」の１０７３頁等参照）から考えて，「凍結乾燥」は「冷凍処理」や「冷凍工程」とは異なるものである。
　また，「冷凍工程」について，本件特許明細書の【００２３】〜【００２６】の記載を参照すると，好ましい温度範囲，時間，冷凍の手段，及び原料であるショウガの形態について，それぞれある程度の任意性が許容される旨の説明がされているが，いわゆる「凍結乾燥」を含み得ることの記載や示唆はない。
　また，本件特許明細書の【００２８】の「冷凍工程と蒸気加熱工程とは必ずしも連続に行う必要はなく、これらの工程の間に他の工程を含んでいてもよい。また、冷凍工程と、蒸気加熱工程をそれぞれ異なる場所で行ってもよい。」との記載は，「他の工程」として，減圧して水分を昇華させ乾燥させる特殊な工程までを想定しているとも認められない。凍結乾燥においては，凍結と減圧・乾燥は不可分の工程であるから，当該減圧・乾燥は「これらの工程の間に他の工程を含んでいてもよい」と任意的に扱われるものとはいえない。
　そして，甲１発明における「凍結乾燥」を，「冷凍処理」や「冷凍工程」に変更することは，上述のように「凍結乾燥」と「冷凍」とは技術的に異質のものであることから，当業者にとって容易とはいえない。また，甲２〜１０を参照しても「凍結乾燥」を「冷凍処理」や「冷凍工程」に変更し得ることや，同視できることを示唆する証拠も提示されていない。
　次に，相違点１−２について検討する。
　甲４から，オートクレーブによる高温加熱は，水蒸気存在下で行なわれ，常圧＋1kg/cm2，すなわち０．１Ｍｐａ程度の圧力，１２０℃程度の温度で行なわれると認められる。よって，甲１発明において，加熱工程を，水蒸気共存下，温度１００℃以上１５０℃以下の条件で行なう程度のことは，当業者が容易に想到し得る。
　しかし，オートクレーブによる高温加熱する時間について，甲１には「一定の時間以内」と記載されるのみである。一般に，オートクレーブによる滅菌処理では通常３０分前後の加熱時間であることや（甲４），甲３のFig.8を参照すると，６−ショウガオールが６−ジンゲロールの含有量を上回るには，１１時間以上の時間が必要であることを勘案すると，甲１発明において，加熱工程を５時間以上とすることで，本件特許明細書に記載されて実施例１のように６−ショウガオールの含有量が６−ジンゲロールの含有量を上回る程度の６−ショウガオールの富化が進むことは，当業者が容易に想起し得るものではない。
　そして，本件発明１は，相違点１−１及び相違点１−２に係る構成を採用することにより，実施例１における６−ショウガオール／６−ジンゲロール＝１．８２となる程度の６−ショウガオールの富化という効果を奏するものと認められる。
（ウ）　小括
　したがって，本件発明１は，甲１発明に基いて当業者が容易に発明することができたものとすることはできない。
イ　甲２発明に基づく進歩性
（ア）　対比
　本件発明１と甲２発明を対比すると，甲２発明の「生姜を繊維に直角にスライス」することは，本件発明１の「原料であるショウガを」「処理する」「工程」に相当する。また，甲２発明の「お湯を張った圧力鍋にスライスした生姜を置いて蓋を閉めて蒸す」ことは，本件発明１の「ショウガを，水蒸気共存下，温度１００℃以上１５０℃以下の条件で加熱処理する蒸気加熱工程」に相当し，甲２発明の「ウルトラ蒸しショウガの作り方」は，本件発明１の「ショウガ加工物の製造方法」に相当する。
　よって，本件発明１と甲２発明とは，次の点において一致し，以下の点において相違する。
（一致点）
「原料であるショウガを処理する工程と，
　該工程後のショウガを，水蒸気共存下，温度１００℃以上１５０℃以下の条件で加熱処理する蒸気加熱工程
を有するショウガ加工物の製造方法。」
（相違点２−１）
　原料であるショウガを処理する工程について，本件発明１は「冷凍処理する冷凍工程」であるのに対し，甲２発明は「繊維に直角にスライス」する工程である点
（相違点２−２）
　ショウガを加熱処理する蒸気加熱工程の時間が，本件発明１は「５時間以上」であるのに対し，甲２発明ではそのような特定がない点
（イ）　判断
　上記相違点について検討する。まず，相違点２−１について，甲１，３〜１０を参照しても，甲２発明において，生姜を圧力鍋で蒸す工程の前に，冷凍工程を採用することの動機付けとなる掲載や示唆は存在しない。甲２発明においては，ショウガオールの富化という目的はなく，開示されたレシピの改善の余地についても甲２は全く触れるところがない。
　甲６は，しょうがの保存方法として冷凍が一般的であることを示している（上記第４　６）が，甲２発明は冷凍保存された生姜を前提とするものではなく，甲２を参照しても，原料として冷凍保存された生姜を使用することは示唆されていない。また，冷凍処理によってショウガオールが増加する点については，甲１，３〜１０にも記載や示唆が見られない。
　次に，相違点２−２について検討すると，相違点２−２は，蒸気加熱工程の時間に関するものである点で，上記相違点１−２と同様であるから，上記ア（イ）に示したとおり，当業者が容易に想到し得るものとはいえない。
　そして，本件発明１は，相違点２−１及び相違点２−２に係る構成を採用することにより，６−ショウガオールの富化という効果を奏するものと認められる。
（ウ）　小括
　したがって，本件発明１は，甲２発明に基いて当業者が容易に発明することができたものとすることはできない。
ウ　甲３発明に基づく進歩性
（ア）　対比
　本件発明１と甲３発明とを対比すると，甲３発明の「市場品生ショウガの塊茎の外皮を取り除き，粗切とし混ぜ合わせたものを一定量ガーゼに包」むことは，本件発明１の「原料であるショウガを」「処理する」「工程」に相当する。また，甲３発明の「6，8，10および12時間の蒸す処理を行う」ことは，本件発明１の「ショウガを、水蒸気共存下、温度１００℃以上１５０℃以下の条件で５時間以上加熱処理する蒸気加熱工程」に相当する。また，甲３発明の「実験方法」は，本件発明１の「ショウガ加工物の製造方法」に相当する。
　よって，本件発明１と甲３発明とは，次の点において一致し，以下の点において相違する。
（一致点）
「原料であるショウガを処理する工程と，
　該工程後のショウガを，水蒸気共存下，温度１００℃以上１５０℃以下の条件で５時間以上加熱処理する蒸気加熱工程と，
を有するショウガ加工物の製造方法。」
（相違点３）
　原料であるショウガを処理する工程について，本件発明１は「冷凍処理する冷凍工程」であるのに対し，甲３発明は「外皮を取り除き，粗切とし混ぜ合わせたものを一定量ガーゼに包」む工程である点
（イ）　判断
　上記相違点について検討する。相違点３は，原料であるショウガを冷凍処理する冷凍工程の有無に関するものである点で，上記相違点２−１と実質的に同じであるから，上記イ（イ）と同様の理由により，本件発明１は，甲３発明に基いて当業者が容易に発明することができたものとすることはできない。
　甲３には，「鮮姜：生ショウガを凍結乾燥処理したもの」についての記載があるが，凍結乾燥処理は冷凍工程とは異なるものであるし，これを「蒸乾」することについては記載も示唆もない。また，甲３は学会誌に掲載された漢方薬の品質評価についての論文であり，その目的は，漢方製剤中の成分の定量に関する厚生省の通達を受け，製造工程管理のための指標物質を検索することであって，6-gingerol(6-G)がその条件を満たすこと，及び6-shogaol(6-S)がその条件を満たし得ることを報告したものにすぎない（上記第４　３（１）ア，イ及びク）から，蒸気加熱工程の時間に比例して6-Gが減少し6-Sが増加することが記載されている（上記第４　３（１）オ及びキ）からといって，甲３発明において，ショウガオールをさらに富化させるようにする動機付けは得られない。
（ウ）　小括
　したがって，本件発明１は，甲３発明に基いて当業者が容易に発明することができたものとすることはできない。
エ　まとめ
　したがって，本件発明１は，甲１発明，甲２発明又は甲３発明のいずれに基いても当業者が容易に発明することができたものとすることはできない。
（２）　本件発明２〜４について
　本件発明２〜４は，本件発明１の発明特定事項をすべて含み，さらに他の発明特定事項を付加したものであるから，上記（１）ア（イ），イ（イ）及びウ（イ）と同様の理由により，甲１発明，甲２発明又は甲３発明のいずれに基いても，当業者が容易に発明をすることができたものとすることはできない。
（３）　小括
　よって，請求項１〜４に係る特許は，特許法第２９条第２項の規定に違反してなされたものとはいえず，同法第１１３条第２号に該当するとはいえない。
２　理由２（実施可能要件）について
（１）　特許異議申立人は，本件特許明細書の実施例を参照しても「高知県産の大ショウガの根茎を用い」て，「温度−１８℃に維持された冷凍庫に１５時間保管し」，「水蒸気共存下、温度１２１℃、圧力０．１５ＭＰａで５時間蒸気加熱処理した」一例しか記載されていないことを理由に，「具体的にどのようなショウガを用い」て，「具体的にどのような条件の範囲で冷凍処理を行」ない，「具体的どのような条件の範囲で蒸気加熱処理を行えば、本件特許発明の効果を奏する物が製造できるか不明である」とし，「冷凍処理を行わずに、同時間、水蒸気共存下で加熱処理を行った場合」及び「水蒸気が共存しない状態で、同様に加熱を行った場合の比較例が記載されて」いないことから，「冷凍処理」及び「水蒸気共存の技術的意義が不明である」とし，「さらに、ショウガオールがどの程度の量まで増加すれば（例えば、ショウガオール○ｍｇ／ｇ以上など）、本件特許発明の効果が奏されたといえるのかが不明である」として，「したがって、請求項１〜４は、実施可能要件を満たさない。」と主張する。（意見書２２頁１１行〜２３頁１７行）
（２）　しかし，本件特許明細書の【００１９】には，「本発明のショウガ加工物の製造方法（以下、『本発明の製造方法』と記載する場合がある。）は、原料となるショウガを冷凍処理する冷凍工程と、冷凍工程後のショウガを、水蒸気共存下、温度１００℃以上１５０℃以下の条件で加熱処理する蒸気加熱工程と、を有することを特徴とする。」，「本発明の製造方法では、原料となるショウガを冷凍した後に、水蒸気共存下、上記特定の温度条件で蒸気加熱処理することにより、従来の冷凍処理を行わずに蒸気加熱処理を行った場合と比較して、ジンゲロール類からのショウガオール類への変換効率が格段に向上し、生産性良くショウガオール類が富化されたショウガ加工物を製造することができる。」と記載され，【０００３】〜【０００７】と併せて本件特許によるショウガオール富化の機序が示されている。また，【００４５】以降には，実施例１のショウガ加工物の製造方法によって，６−ショウガオール／６−ジンゲロール＝１．８２となる程度の６−ショウガオールの富化が確認されている。そうすると，特許請求の範囲に含まれる製造方法のうち，一例しか開示されていないとしても，当業者が実施できないというものではない。
（３）　したがって，特許異議申立人の上記主張には理由がなく，本件特許明細書の発明の詳細な説明の記載が特許法第３６条第４項第１号に規定する要件を満たしていないとすることはできず，同法第１１３条第４号に該当するとはいえない。
３　理由３（サポート要件，明確性）について
（１）　第３６条第６項第１号（サポート要件）について
ア　特許異議申立人は，上記２（１）と同様の根拠を挙げて，「高知県産の大ショウガに関する知見」や「実施例に示される根茎以外の部位に関する知見をショウガ全般についてまで拡張ないし一般化することはできない。」，請求項１の「冷凍処理」や請求項２の「−１０℃以下」との条件では「発明の課題を解決するための手段が十分に反映されているとはいえない」，「５時間蒸気加熱した知見を５時間を超える時間まで拡張ないし一般化できるとはいえない。」，「実施例等の記載から、発明の課題が解決されることを認識できず、請求項に、発明の課題を解決するための手段が十分に反映されているとはいえない。」として，「請求項１、及びこれを引用する請求項２〜４は、サポート要件を満たさない。」と主張する。（意見書２３頁１８行〜２５頁１６行）
イ　特許異議申立人は，「ショウガ全般についてまで拡張ないし一般化することはできない」ことの根拠として，「甲３号証のＴＡＢＬＥII．」（当審注：特許異議申立書２３頁３行の「甲
９
３
ウ　冷凍処理の条件に関して，本件特許明細書の【００２３】〜【００２６】の記載を参照すると，好ましい温度範囲，時間，冷凍の手段，及び原料であるショウガの形態について，それぞれある程度の任意性が許容される旨の説明がなされており，また，蒸気加熱の時間については，甲３及び甲５の記載（上記第４　３（１）キ及び５）から見て，長時間になるほどショウガオールの富化が進むことは周知の技術事項であったといえるから，「５時間蒸気加熱した知見を５時間を超える時間まで拡張ないし一般化」することはできるものと認められる。
エ　したがって，特許異議申立人の上記主張には理由がなく，本件特許の特許請求の範囲の記載が特許法第３６条第６項第１号に規定する要件を満たしていないとすることはできず，同法第１１３条第４号に該当するとはいえない。
（２）　第３６条第６項第２号（明確性）について
ア　特許異議申立人は，「冷凍処理を行わずに、同時間、水蒸気共存下で加熱処理を行った比較例」及び「水蒸気共存しない状態で、同様に加熱を行った場合の比較例が記載されて」いないことから，「冷凍処理」及び「水蒸気処理の技術的意義が理解できず、結果として的確に進歩性等の判断ができる程度に発明が明確でない。」とし，「ショウガオールがどの程度の量（例えば、ショウガオール○ｍｇ／ｇ以上など）になれば、本件特許発明の効果が奏されたといえるのかが不明であり、結果として、本件特許発明の範囲が不明確となっている。」と主張する。（意見書２５頁２２行〜２６頁１６行）
イ　しかし，請求の範囲に記載された「冷凍処理」及び「水蒸気処理」の意味は，その記載からそれぞれ，「冷凍」による「処理」，「水蒸気」による「処理」と明確に理解でき，特許を受けようとする発明は明確である。
ウ　したがって，特許異議申立人の上記主張には理由がなく，本件特許の特許請求の範囲の記載が特許法第３６条第６項第２号に規定する要件を満たしていないとすることはできず，同法第１１３条第４号に該当するとはいえない。
第６　むすび
　以上のとおり，特許異議申立ての理由１〜３によっては，請求項１〜４に係る特許が，特許法第２９条第２項の規定に違反してなされたものとはいえないから，同法第１１３条第２号の規定に該当するものとして取り消すことはできず，請求項１〜４に係る特許が，同法第３６条第４項第１号若しくは第６項第１号又は第２号に規定する要件を満たしていない特許出願に対してされたものとはいえないから，同法第１１３条第４号の規定に該当するものとして取り消すことはできない。
　また，他に請求項１〜４に係る特許を取り消すべき理由を発見しない。
　よって，結論のとおり決定する。
【異議決定日】
平成２９年４月１２日（２０１７．４．１２）